(57)【要約】      （修正有）【課題】電子メールの受信に伴う面倒な操作を解消すること。【解決手段】会員管理装置１２０と、遊技用装置３と、メールサーバ１０とから成り、前記メールサーバ１０は、メール受信通知手段を備え、前記会員管理装置１２０は、メール送受信用情報を会員識別情報に対応付けて記憶するともに、会員識別情報と装置識別情報とを対応付けて記憶し、メール受信通知を受信したときに、電子メールアドレスに対応する会員識別情報の会員用記録媒体を受付けている前記遊技用装置３の装置識別情報を特定し、該特定した装置識別情報の遊技用装置３に対して、新たな電子メールが届いている旨の情報と、特定した会員識別情報に該当するメール送受信用情報とを含むメール新着通知を送信し、前記遊技用装置３は、受信したメール新着通知に含まれるメール送受信用情報と、メール配信要求とをメールサーバ１０に送信し、該メール配信要求に応じて電子メールの内容を表示する。【選択図】    図１１
2004194990.tif 000002
【特許請求の範囲】
【請求項１】
会員遊技者を個々に特定可能な会員識別情報に対応付けて、各会員遊技者の電子メールアドレスを特定可能なメールアドレス特定情報を記憶する会員情報記憶手段を有する会員管理装置と、
遊技機に対応して設けられ、前記会員識別情報が記録された会員用記録媒体を受付けて、該会員用記録媒体に記録されている会員識別情報の読み取りを行う読取手段と、該読取手段によって読み取った前記会員識別情報を、当該遊技用装置に個別に付与された装置識別情報とともに前記会員管理装置に送信する識別情報送信手段と、を少なくとも備える遊技用装置と、
会員遊技者の電子メールアドレスを記憶するメールアドレス記憶手段と、該メールアドレス記憶手段に記憶されている各会員遊技者の前記電子メールアドレス宛ての電子メールを受信した場合に、該受信した電子メールを配信可能に記憶する電子メール記憶手段と、メール配信要求に応じて該電子メール記憶手段に記憶した電子メールを配信要求元に配信する電子メール配信手段と、を備えるメールサーバと、
から成る遊技用システムであって、
前記メールサーバは、前記受信した電子メールの宛先である電子メールアドレスを特定可能な情報を含むメール受信通知を前記会員管理装置に送信するメール受信通知手段を備え、
前記会員管理装置は、各会員遊技者が前記メールサーバと電子メールの送受信を行うためのメール送受信用情報を前記会員識別情報に対応付けて前記会員情報記憶手段に記憶するとともに、前記識別情報送信手段から送信される前記会員識別情報と装置識別情報とを対応付けて記憶する受付け状況記憶手段と、前記メール受信通知手段からメール受信通知を受信したときに、該受信したメール受信通知に含まれる情報から特定される電子メールアドレスに対応する会員識別情報を前記会員情報記憶手段の記憶内容より特定するとともに、該特定した会員識別情報が記録された会員用記録媒体を受付けている前記遊技用装置の装置識別情報を前記受付け状況記憶手段の記憶内容より特定する識別情報特定手段と、該識別情報特定手段にて特定した装置識別情報の前記遊技用装置に対して、前記特定した会員識別情報に対応するメール送受信用情報を含むメール新着通知を送信するメール新着通知送信手段と、を備え、
前記遊技用装置は、前記メール新着通知を受信したことを条件として、該受信したメール新着通知に含まれるメール送受信用情報を含むメール配信要求を前記メールサーバに送信するメール配信要求送信手段と、該メール配信要求に応じて前記電子メール配信手段から配信されてきた電子メールの内容を表示する表示手段と、を備えることを特徴とする遊技用システム。
【請求項２】
前記会員管理装置は、前記識別情報特定手段により前記メール受信通知に含まれる情報から特定される電子メールアドレスに対応する会員識別情報が記録された会員用記録媒体を受付け中の前記遊技用装置の装置識別情報が特定されないときに、該メール受信通知を該会員識別情報に対応付けて記憶するメール受信通知記憶手段を備え、前記識別情報送信手段から送信される前記会員識別情報と装置識別情報との受信に基づいて、該受信した会員識別情報に対応するメール受信通知が前記メール受信通知記憶手段に記憶されているかを確認し、メール受信通知が記憶されているときには、前記会員識別情報とともに受信した装置識別情報の遊技用装置に対して、前記メール新着通知送信手段により前記メール新着通知を送信する請求項１に記載の遊技用システム。
【請求項３】
前記遊技用装置は、前記メール新着通知の受信に基づいて、新着メールが存在することを報知するメール新着報知手段と、前記メール配信要求送信手段によるメール配信要求の送信指示を受け付けるための送信指示受付け手段と、を備える請求項１または２に記載の遊技用システム。
【請求項４】
前記メール受信通知およびメール新着通知には、通知対象の電子メールを個々に識別可能な情報が含まれ、前記遊技用装置は、受信した前記メール新着通知に基づいて新着メールの一覧を前記表示手段に表示し、該一覧表示された新着メールのうち、前記メールサーバから配信を受ける新着メールの選択を受付ける選択受付け手段を備え、前記メール配信要求送信手段は、該選択受付け手段により選択を受付けたメールの配信要求を前記メールサーバに送信する請求項１〜３のいずれかに記載の遊技用システム。
【請求項５】
前記遊技用装置は、前記メールサーバから配信を受けた電子メールの保存指示を入力するための保存入力手段と、保存する電子メールを含むメール保存要求を前記会員管理装置に送信するメール保存要求送信手段と、保存した電子メールの再閲覧要求を前記会員管理装置に送信する再閲覧要求送信手段と、を備え、
前記会員管理装置は、前記メール保存要求に含まれる電子メールを会員識別情報に対応付けて記憶する保存メール記憶手段と、前記再閲覧要求に応じて保存メールを該再閲覧要求の送信元の前記遊技用装置に送信する保存メール送信手段と、を備え、前記表示手段は、該保存メール送信手段から受信した保存メールの内容を表示する請求項１〜４のいずれかに記載の遊技用システム。
【請求項６】
前記保存メール記憶手段における保存メールの保存期間および／または保存件数を設定変更する保存限度設定手段を備える請求項１〜５のいずれかに記載の遊技用システム。
【請求項７】
前記遊技用装置は、
受信した電子メールを所定のメールアドレス宛てに転送するための転送要求を前記メールサーバに送信する転送要求手段を備え、
前記メールサーバは、
前記転送要求の受信に基づいて、前記電子メールを前記所定のメールアドレス宛てに転送する電子メール転送手段を備える請求項１〜６のいずれかに記載の遊技用システム。
【請求項８】
前記会員管理装置または前記メールサーバは、
前記会員識別情報に対応付けて電子メールの転送先となる前記所定のメールアドレスを記憶する転送先アドレス記憶手段を備え、
前記電子メール転送手段は、前記転送先アドレス記憶手段に記憶されている所定のメールアドレスに電子メールを転送する請求項７に記載の遊技用システム。
【発明の詳細な説明】
【０００１】
【発明の属する技術の分野】
本発明は、遊技場において会員登録を実施した会員遊技者宛ての電子メールを、遊技場において閲覧することのできる遊技用システムに関する。
【０００２】
【従来の技術】
これら遊技場において会員登録を実施した会員遊技者宛ての電子メールを、遊技場において閲覧することのできる遊技用システムとしては、遊技機に対応して設けられた台間ユニットにおいて、会員遊技者が自分のメールアドレスやパスワードを入力することで、該入力した自分のメールアドレス宛てのメールを台間ユニットにて受信し、表示させるものが開示されている（特許文献１参照）。
【０００３】
【特許文献１】
特開２００２−２１０２２０号公報
【０００４】
【発明が解決しようとする課題】
これら従来の遊技用システムにあっては、自分宛の電子メールを受信して閲覧するためには、会員遊技者は自分のメールアドレスやパスワードを、その都度入力する必要があり、これらの操作が面倒であるばかりか、これらのメールアドレスやパスワードの入力を実施しないと、新着メールを受信できないことから、リアルタイムな受信ができないという問題があった。
【０００５】
よって、本発明は上記した問題点に着目してなされたもので、電子メールの受信に伴う面倒な操作を解消し、且つリアルタイムに自分宛の電子メールを受信することのできる遊技用システムを提供することを目的としている。
【０００６】
【課題を解決するための手段】
前記した問題を解決するために、本発明の遊技用システムは、会員遊技者を個々に特定可能な会員識別情報に対応付けて、各会員遊技者の電子メールアドレスを特定可能なメールアドレス特定情報を記憶する会員情報記憶手段を有する会員管理装置と、
遊技機に対応して設けられ、前記会員識別情報が記録された会員用記録媒体を受付けて、該会員用記録媒体に記録されている会員識別情報の読み取りを行う読取手段と、該読取手段によって読み取った前記会員識別情報を、当該遊技用装置に個別に付与された装置識別情報とともに前記会員管理装置に送信する識別情報送信手段と、を少なくとも備える遊技用装置と、
会員遊技者の電子メールアドレスを記憶するメールアドレス記憶手段と、該メールアドレス記憶手段に記憶されている各会員遊技者の前記電子メールアドレス宛ての電子メールを受信した場合に、該受信した電子メールを配信可能に記憶する電子メール記憶手段と、メール配信要求に応じて該電子メール記憶手段に記憶した電子メールを配信要求元に配信する電子メール配信手段と、を備えるメールサーバと、
から成る遊技用システムであって、
前記メールサーバは、前記受信した電子メールの宛先である電子メールアドレスを特定可能な情報を含むメール受信通知を前記会員管理装置に送信するメール受信通知手段を備え、
前記会員管理装置は、各会員遊技者が前記メールサーバと電子メールの送受信を行うためのメール送受信用情報を前記会員識別情報に対応付けて前記会員情報記憶手段に記憶するとともに、前記識別情報送信手段から送信される前記会員識別情報と装置識別情報とを対応付けて記憶する受付け状況記憶手段と、前記メール受信通知手段からメール受信通知を受信したときに、該受信したメール受信通知に含まれる情報から特定される電子メールアドレスに対応する会員識別情報を前記会員情報記憶手段の記憶内容より特定するとともに、該特定した会員識別情報が記録された会員用記録媒体を受付けている前記遊技用装置の装置識別情報を前記受付け状況記憶手段の記憶内容より特定する識別情報特定手段と、該識別情報特定手段にて特定した装置識別情報の前記遊技用装置に対して、前記特定した会員識別情報に対応するメール送受信用情報を含むメール新着通知を送信するメール新着通知送信手段と、を備え、
前記遊技用装置は、前記メール新着通知を受信したことを条件として、該受信したメール新着通知に含まれるメール送受信用情報を含むメール配信要求を前記メールサーバに送信するメール配信要求送信手段と、該メール配信要求に応じて前記電子メール配信手段から配信されてきた電子メールの内容を表示する表示手段と、を備えることを特徴としている。
この特徴によれば、新着メールが前記メールサーバに到着した際に、該新着メールの到着が前記メール受信通知によって会員管理装置に通知され、該会員管理装置が前記メールサーバに到着した新着メールの宛先のメールアドレスを所有する会員遊技者の会員用記録媒体を受付け中の遊技用装置に対してメールサーバから前記新着メールの配信を受けるためのメール送受信用情報を含むメール新着通知が送信されることで、該遊技用装置にて、これらメール送受信用情報を用いて前記新着メールが前記メールサーバから遊技用装置に送信されるようになるため、会員遊技者は、メール受信の都度毎にメールアドレスやパスワードを入力することなく、これら新着メールを受信できるばかりか、ほぼリアルタイムに自分宛の電子メールを受信することもできる。
【０００７】
本発明の遊技用システムの前記会員管理装置は、前記識別情報特定手段により前記メール受信通知に含まれる情報から特定される電子メールアドレスに対応する会員識別情報が記録された会員用記録媒体を受付け中の前記遊技用装置の装置識別情報が特定されないときに、該メール受信通知を該会員識別情報に対応付けて記憶するメール受信通知記憶手段を備え、前記識別情報送信手段から送信される前記会員識別情報と装置識別情報との受信に基づいて、該受信した会員識別情報に対応するメール受信通知が前記メール受信通知記憶手段に記憶されているかを確認し、メール受信通知が記憶されているときには、前記会員識別情報とともに受信した装置識別情報の遊技用装置に対して、前記メール新着通知送信手段により前記メール新着通知を送信することが好ましい。
このようにすれば、会員遊技者は、自分の会員用記録媒体が前記遊技用装置に非受付け状態である非遊技状態における自分宛の新着メールも、自分の会員用記録媒体を前記遊技用装置に受付け状態とすることで、これら非遊技状態における自分宛の新着メールの到着を、漏れなく認識できる。
【０００８】
本発明の遊技用システムの前記遊技用装置は、前記メール新着通知の受信に基づいて、新着メールが存在することを報知するメール新着報知手段と、前記メール配信要求送信手段によるメール配信要求の送信指示を受け付けるための送信指示受付け手段と、を備えることが好ましい。
このようにすれば、会員遊技者は、自分宛の新着メールが到着していることを認識できるとともに、希望するときのみ該新着メールの受信を行うことができる。
【０００９】
本発明の遊技用システムの前記メール受信通知およびメール新着通知には、通知対象の電子メールを個々に識別可能な情報が含まれ、前記遊技用装置は、受信した前記メール新着通知に基づいて新着メールの一覧を前記表示手段に表示し、該一覧表示された新着メールのうち、前記メールサーバから配信を受ける新着メールの選択を受付ける選択受付け手段を備え、前記メール配信要求送信手段は、該選択受付け手段により選択を受付けたメールの配信要求を前記メールサーバに送信することが好ましい。
このようにすれば、会員遊技者は、受信を希望する新着メールのみを受信することができる。
【００１０】
本発明の遊技用システムの前記遊技用装置は、前記メールサーバから配信を受けた電子メールの保存指示を入力するための保存入力手段と、保存する電子メールを含むメール保存要求を前記会員管理装置に送信するメール保存要求送信手段と、保存した電子メールの再閲覧要求を前記会員管理装置に送信する再閲覧要求送信手段と、を備え、
前記会員管理装置は、前記メール保存要求に含まれる電子メールを会員識別情報に対応付けて記憶する保存メール記憶手段と、前記再閲覧要求に応じて保存メールを該再閲覧要求の送信元の前記遊技用装置に送信する保存メール送信手段と、を備え、前記表示手段は、該保存メール送信手段から受信した保存メールの内容を表示することが好ましい。
このようにすれば、会員遊技者は、保存しておきたい新着メールを前記会員管理装置に保存しておくことができるとともに、該保存した新着メールを再度閲覧することもできる。
【００１１】
本発明の遊技用システムの前記保存メール記憶手段における保存メールの保存期間および／または保存件数を設定変更する保存限度設定手段を備えることが好ましい。
このようにすれば、前記会員管理装置の記憶容量を考慮して、遊技場がメールの保存期間や保存件数を適宜に設定変更できる。
【００１２】
本発明の遊技用システムの前記遊技用装置は、
受信した電子メールを所定のメールアドレス宛てに転送するための転送要求を前記メールサーバに送信する転送要求手段を備え、
前記メールサーバは、
前記転送要求の受信に基づいて、前記電子メールを前記所定のメールアドレス宛てに転送する電子メール転送手段を備えることが好ましい。
このようにすれば、会員遊技者は、前記遊技用装置に受信した新着メールを、自宅等の転送先にて再度確認することができる。
【００１３】
本発明の遊技用システムの前記会員管理装置または前記メールサーバは、
前記会員識別情報に対応付けて電子メールの転送先となる前記所定のメールアドレスを記憶する転送先アドレス記憶手段を備え、
前記電子メール転送手段は、前記転送先アドレス記憶手段に記憶されている所定のメールアドレスに電子メールを転送することが好ましい。
このようにすれば、転送する都度毎に転送先のメールアドレスを入力する必要がなく、遊技者の利便性を向上できるばかりか、入力間違いにより転送が不能となる不都合も回避できる。
【００１４】
【発明の実施の形態】
図１は本実施例における遊技用システムの構成を示す図であり、この遊技用システムは、遊技場において複数配置された遊技島に並設される遊技機としてのカードリーダ式パチンコ機（以下パチンコ機）２に対して１対１に設置される遊技用装置としてのカードユニット３と、遊技場の所定箇所に設置され、会員カードを所有する会員遊技者の情報の管理等を行う管理装置としての会員管理コンピュータ１２０と、遊技場外のインターネット接続プロバイダであるＩＳＰに設置されるメールサーバ１０と、から主に構成されている。尚、図１に示す１００は、カードユニット３にて使用される会員用記録媒体としての会員カード、並びにプリペイドカードであるビジターカードに記録されている遊技用価値である度数の管理等を行うシステムコントローラ１００であり、図１に示す１１０は、パチンコ機２及びカードユニット３からの出力信号に基づいて売上情報や各種遊技情報、すなわちパチンコ機２の遊技に関連して発生する情報を収集し、遊技場の売上や各遊技機の稼働状況等を詳細に管理するホールコンピュータである。
【００１５】
カードユニット３は、対応するパチンコ機２と直接、及び中継端末４を介して接続されており、カードユニット３と対応するパチンコ機２との間で各種信号の送受が可能とされているとともに、対応するパチンコ機２等から出力された各種遊技情報を示す信号が中継端末４を介して対応するカードユニット３に入力されるようになっている。
【００１６】
また、各カードユニット３は、システムコントローラ１００並びに会員管理コンピュータ１２０とハブ（ＨＵＢ）８’（図４参照）並びに通信ケーブル８を介してデータ通信可能に接続されている。また、各カードユニット３並びに前記会員管理コンピュータ１２０は、ハブ８’並びに通信ケーブル８、ルータ５を介してインターネット接続プロバイダ（ＩＳＰ）に接続されており、該ＩＳＰを通じてインターネット（コンピュータネットワーク）網上の各サーバとの間において種々のデータ通信が可能とされているとともに、前記インターネット接続プロバイダ（ＩＳＰ）に設置されたメールサーバ１０との間において、新着メールの到着通知であるメール受信通知の受信や（会員管理コンピュータ１２０）、新規メールのダウンロードや転送メールのアップロード（カードユニット３）が可能とされている。また、システムコントローラ１００は、通信回線網１１を介して図示しないカード管理会社に設置された管理サーバとデータ通信可能に接続されている。
【００１７】
また、各カードユニット３並びに各パチンコ機２は、信号ケーブル９を介してホールコンピュータ１１０と接続されており、各カードユニット３からは売上に関する情報を示す信号（後述する玉貸信号並びに払戻信号）が、各パチンコ機２からは遊技に関する各種遊技情報を示す信号が、各々ホールコンピュータ１１０に出力される。
【００１８】
初めに、本実施例にて用いた記録媒体について説明すると、本実施例では予め会員登録をした会員遊技者に対して発行される会員カードと、カードユニット３に装着されているプリペイドカードであるビジターカードと、の２種類のＩＣカードを記録媒体として用いており、このうち会員カードが本発明の会員用記録媒体に該当する。
【００１９】
まず、本発明の記録媒体としての会員カードについて説明すると、この会員カードには、カードユニット３内に設けられている後述のカードリーダライタ３２７と非接触にてデータ通信を行うことが可能な非接触式ＩＣカードが適用されており、その内部メモリには、各会員カードを個別に識別可能なカードＩＤや、各会員遊技者を個別に識別可能な会員識別情報である会員ＩＤ、カードユニット３とシステムコントローラ１００との通信がオフライン状態の場合に使用されるセキュリティー情報等が書き換え不可に記録されているとともに、カードリーダライタ３２７とのデータ通信により、パチンコ玉の貸出に使用される度数等の情報が書き換え可能に記憶される。
【００２０】
次いで、ビジターカードについて説明すると、このビジターカードも会員カードと同様に非接触式ＩＣカードが適用されており、その内部メモリには、各ビジターカードを個別に識別可能なカードＩＤ等が書き換え不可に記録されているとともに、前述したカードリーダライタ３２７とのデータ通信により、パチンコ玉の貸出に使用される度数や装着されているカードユニット３の装置ＩＤ等の情報が書き換え可能に記録される。
【００２１】
次いで、本実施例の遊技用装置であるカードユニット３について説明すると、このカードユニット３は、前述のように遊技島に並設される遊技機としてのパチンコ機２に１対１に対応して設置される。
【００２２】
カードユニット３の前面には、図２に示すように、各種表示部と紙幣挿入口３０２、硬貨投入口３０３、硬貨返却ボタン３０４、突出部３０５、硬貨返却口３０８、会員カード挿入口３０９、ビジターカード装着口３１０が設けられている。
【００２３】
カードユニット３の前面に設けられる表示部のうち、多機能表示部３０１は、内部に設けられた多機能ＬＥＤ３０１ａの発光態様によりカードユニット３の動作状況等が報知される。本実施例では、多機能表示部３０１が、消灯、青色点灯、青色点滅、赤色点灯、赤色点滅、緑色点灯、緑色点滅、紫色点灯、紫色点滅、水色点灯、水色点滅、黄色点灯、黄色点滅、白色点灯、白色点滅からなる、合計７色、１５態様（消灯含む）の発光態様により各状況が報知される。
【００２４】
具体的には、多機能表示部３０１が消灯している場合は、カードユニット３が使用不可能な状態を示し、青色点灯は、会員カードが挿入されている状態を示し、赤色点灯は、システムコントローラ１００または会員管理コンピュータ１２０とのオフライン状態を示し、赤色点滅は、カードユニット３の異常状態を示し、緑色点灯は、待機状態を示す。
【００２５】
また、カードユニット３の前面に設けられた表示部のうち、方向指示表示部３０６は、対応するパチンコ機２の連結方向を示す表示部であり、パチンコ機２と接続されている場合に内部に設けられた方向指示ＬＥＤ３０６ａ（図４参照）が点灯する。挿入中表示部３０７は、会員カードが挿入中である場合に内部に設けられた挿入中ＬＥＤ３０７ａ（図４参照）が点灯する。
【００２６】
カードユニット３の前面に設けられたボタンのうち、硬貨返却ボタン３０４は、硬貨投入口３０３から投入された硬貨が詰まった場合等において、硬貨を返却させる際に押圧するボタンである。
【００２７】
カードユニット３の前面に設けられた会員カード挿入口３０９とビジターカード装着口３１０とは、遊技者から見て左右方向に並設配置されている。会員カード挿入口３０９は、内蔵されるカードリーダライタ３２７（図４参照）の会員カードスロット（図示略）に連設されており、この会員カード挿入口３０９を介して会員カードを会員カードスロットに挿入可能とされている。また、ビジターカード装着口３１０は、カードリーダライタ３２７のビジターカード収容室（図示略）に連設されており、このビジターカード装着口３１０を介してビジターカードをビジターカード収容室に装着可能とされている。
【００２８】
また、ビジターカード収容室にビジターカードが装着された際には、この装着されたビジターカードの先端がビジターカード装着口３１０から突出する態様にて装着されるようになる。更に、ビジターカード装着口３１０の前面には、透明カバー部材３１１が取付けられており、これによりカードリーダライタ３２７に装着されたビジターカードが、透明カバー部材３１１を通して視認できるとともに、透明カバー部材３１１により装着されたビジターカードの抜き取りができない状態とされる。
【００２９】
カードユニット３の前面には、前方に突出する態様にて突出部３０５が設けられている。突出部３０５において、遊技者の側に向けられた面には、図３に示すように、表示部３１２と、４方向スクロールボタン３１５と、メニューボタン３１６と、インターネットボタン３１７と、データボタン３１８と、再プレイボタン３１９と、再プレイ表示部３２０と、が設けられている。
【００３０】
突出部３０５に設けられた表示部３１２は、その内部に液晶表示器３１３が内蔵されており、この液晶表示器３１３により各種表示画面が表示される。また、液晶表示器３１３の表面はタッチパネル３１４により被覆されており、遊技者が液晶表示器３１３に表示された各種メニューボタンに接触することで各種の操作を行うことが可能とされている。
【００３１】
突出部３０５に設けられたボタンのうち、４方向スクロールボタン３１５は、上下ボタンと左右ボタンとから構成されており、上下ボタンは、表示部３１２に表示された画面を上下方向にスクロールさせる際に押圧されるボタンであり、左右ボタンは、表示部３１２に表示されている表示内容を、その直前または直後に表示された表示内容に切り替える際に押圧されるボタンである。
【００３２】
また、突出部３０５に設けられたボタンのうち、メニューボタン３１６、インターネットボタン３１７、データボタン３１８は、それぞれ後述するメニュー画面、インターネットメニュー画面、データ画面を表示部３１２に表示する際に押圧されるボタンである。また、再プレイボタン３１９は、遊技者が後述する貯蓄玉数を用いて遊技を実施する際に押圧するボタンである。
【００３３】
突出部３０５に設けられた再プレイ表示部３２０は、再プレイボタン３１９が有効か否かを示す表示部であり、再プレイボタン３１９の操作が有効である場合、すなわち遊技者が貯蓄玉数を用いて遊技を実施できる場合に内蔵された再プレイＬＥＤ３２０ａが点灯し、再プレイボタン３１９の操作が有効ではない場合に消灯する。
【００３４】
図４は、カードユニット３の構成を示すブロック図である。カードユニット３は、読み出し手段としてのカードリーダライタ３２７と、表示コントローラ３２９と、制御ユニット３２８と、から主に構成されており、カードリーダライタ３２７及び表示コントローラ３２９は、制御ユニット３２８と接続され、各種データの送受が可能とされている。
【００３５】
カードリーダライタ３２７は、前述した会員カードやビジターカードの記録情報の読み出し並びに書き込みを行うとともに、ＨＵＢ８’を介してシステムコントローラ１００とデータ通信可能に接続されており、挿入された会員カードに記録されたカードＩＤの認証や度数の確認等をシステムコントローラ１００との間で行う。
【００３６】
また、制御ユニット３２８には、前述した各種ＬＥＤや表示器、スイッチ等の各種電気部品や紙幣識別ユニット３２１、硬貨識別ユニット３２２、が接続されているとともに、該制御ユニット３２８も、通信部３３４を介してＨＵＢ８’に接続されていて、該ＨＵＢ８’並びに通信ケーブル８を介して前記会員管理コンピュータ１２０並びにメールサーバ１０とデータ通信可能に接続されていて、会員カードの受付け通知や返却通知、保存メールや転送アドレスの送受が会員管理コンピュータ１２０との間で行われるとともに、電子メール等の送受が前記メールサーバ１０との間で行われるようになっている。
【００３７】
表示コントローラ３２９には、前述した液晶表示器３１３、タッチパネル３１４、各種スイッチ類や前述した再プレイＬＥＤ３２０ａ等の電気部品が接続されている。
【００３８】
表示コントローラ３２９に接続された各種スイッチのうち、スクロールスイッチ３１５ａは、スクロールボタン３１５の操作を検出するスイッチであり、メニュースイッチ３１６ａは、メニューボタン３１６の操作を検出するスイッチであり、インターネットスイッチ３１７ａは、インターネットボタン３１７の操作を検出するスイッチであり、データスイッチ３１８ａは、データボタン３１８の操作を検出するスイッチであり、再プレイスイッチ３１９ａは、再プレイボタン３１９の操作を検出するスイッチである。
【００３９】
表示コントローラ３２９に接続されている電気部品のうちタッチパネル３１４、スクロールスイッチ３１５ａ、メニュースイッチ３１６ａ、インターネットスイッチ３１７ａ、データスイッチ３１８ａ、再プレイスイッチ３１９ａは、表示コントローラ３２９を介して制御ユニット３２８に接続されており、タッチパネル３１４による位置検出情報や各スイッチの検出信号が制御ユニット３２８に入力される。また、再プレイＬＥＤ３２０ａも、表示コントローラ３２９を介して制御ユニット３２８に接続されており、その点灯制御が制御ユニット３２８により行われる。
【００４０】
また、表示コントローラ３２９には、液晶表示器３１３の表示駆動を行う表示駆動回路が搭載されており、制御ユニット３２８から出力された表示データに基づいて液晶表示器３１３を駆動する。
【００４１】
制御ユニット３２８には、表示コントローラ３２９を介して接続されたスイッチや表示器等の電気部品に加えて、前述した多機能ＬＥＤ３０１ａや方向指示ＬＥＤ３０６ａ、挿入中ＬＥＤ３０７ａからなる電気部品や、紙幣識別ユニット３２１、硬貨識別ユニット３２２が接続されている。
【００４２】
紙幣識別ユニット３２１は、紙幣挿入口３０２に投入された紙幣を取り込んでその真贋や紙幣種別の識別を行う。また、硬貨識別ユニット３２２は、硬貨投入口３０３より投入された硬貨の真贋並びに硬貨種別の識別を行う。
【００４３】
また、制御ユニット３２８には、特に図示しないが、接続されたパチンコ機２に設けられ、パチンコ玉の貸出に使用できる度数（遊技用有価価値）を表示する度数表示器や、パチンコ玉の貸出を行う際に操作される貸出ボタンの操作を検知する貸出スイッチ、受付け中の会員カードを返却させる際に操作される返却ボタンの操作を検知する返却スイッチが接続されている。
【００４４】
制御ユニット３２８は、各種スイッチの検出信号やタッチパネル３１４の位置検出情報、紙幣識別ユニット３２１や硬貨識別ユニット３２２による識別信号等を受けて、制御ユニット３２８に接続されているＬＥＤ、カードリーダライタ３２７、表示コントローラ３２９の制御等、全体の動作制御並びに後述する玉貸処理や払戻処理等の各種処理を実行する。
【００４５】
特に本実施例では、制御ユニット３２８に、ＨＴＭＬ（ハイパー・テキスト・マークアップ・ランゲージ）形式にて記載された表示データを液晶表示器３１３に表示させるためのブラウザ機能、並びに、前記メールサーバ１０からダウンロードした電子メールを表示、転送する機能が搭載されており、インターネット網上のコンテンツサーバから配信されるＨＴＭＬ形式のコンテンツデータを前記表示部３１２にて閲覧できるようになっているとともに、前記メールサーバ１０や会員管理コンピュータ１２０から受信した新着メールや保存メールを表示部３１２にて閲覧できるようになっている。また、本実施例では、コンテンツサーバや会員管理コンピュータ１２０から配信されたデータのみならず、液晶表示器３１３に表示される全ての表示画面がブラウザ機能により表示される構成とされている。すなわちコンテンツサーバ等からの配信に関わらず表示される定型画面も、ＨＴＭＬ形式の表示データに基づいて各画面が液晶表示器３１３に表示されるようになっている。
【００４６】
また、制御ユニット３２８は、ＨＵＢ８’を介して会員管理コンピュータ１２０とデータ通信可能に接続されており、各種データの送受が可能とされている。また、対応するパチンコ機２と接続されており、各種信号の送受が実施可能とされている。
【００４７】
また、制御ユニット３２８は、ホールコンピュータ１１０にも接続されており、後述する玉貸処理に基づき貸し出されたパチンコ玉数を示す玉貸信号や後述する払戻処理により貯蓄玉数から払い戻されたパチンコ玉数を示す払戻信号等の売上信号がホールコンピュータ１１０に対して出力されるようになっている。本実施例では、２５玉の玉貸が行われる毎に１パルスの玉貸信号が出力され、２５玉の払戻が行われる毎に１パルスの払戻信号が出力される。
【００４８】
また、制御ユニット３２８は、中継端末４と接続されており、対応するパチンコ機２や、当該パチンコ機２に対して供給されたパチンコ玉を検出する供給玉検出スイッチ６、当該パチンコ機２から回収されたパチンコ玉を検出するアウト玉検出スイッチ７から出力された各種遊技情報、すなわちパチンコ機２の遊技に関連して発生する情報を示す信号が中継端末４を介して入力されるようになっている。
【００４９】
ここで、本実施例のカードユニット３における各種の処理について簡潔に説明すると、カードユニット３は、会員カード挿入口３１９に挿入された会員カードに対して利用の可／不可を判別する受付処理を行う。
【００５０】
また、受付処理において受付けられた会員カードより読み出された度数が残存する場合であって、パチンコ機２に備えられる貸出ボタンの操作が検出された場合に、対応するパチンコ機２に対して貸出要求を出力し、パチンコ玉の貸出を実施させる貸出処理を行う。
【００５１】
また、会員カードが受付中でかつ残存する度数が０度の場合であって、紙幣（１０００円紙幣、２０００円紙幣、５０００円紙幣、１００００円紙幣）または硬貨（１００円硬貨、５００円硬貨）が挿入または投入されて識別された場合に、この識別された金額に相当する度数を、受付けられている会員カードより読み出された度数に加算する追加入金処理を行う。
【００５２】
また、会員カードが受付けられていない場合に低額紙幣（１０００円紙幣）または硬貨（１００円硬貨、５００円硬貨）が挿入または投入されて識別された場合に、この識別された金額に相当する度数をビジターカード装着口３１８に装着されているビジターカードに記録した後、この記録した度数の全てを使用して、対応するパチンコ機２に対して貸出要求を出力し、パチンコ玉の貸出を実施させる発行貸出処理を行う。
【００５３】
また、以前の遊技にて貯蓄した貯蓄玉数を会員管理コンピュータ１２０から入手し、この入手した貯蓄玉数を使用して、対応するパチンコ機に対して払戻要求を出力し、所定数のパチンコ玉の払い戻しを実施させる払戻処理を行う。
【００５４】
また、カードユニット３と１対１に並設されたパチンコ機２が備える返却ボタンが遊技者により操作された場合に、受付け中の会員カードの返却を実施させる返却処理を行う。
【００５５】
このように本実施例のカードユニット３では、会員カードより読み出された度数を使用して対応するパチンコ機２に対してパチンコ玉の貸出を実施させる貸出処理や、現金の投入に基づきビジターカードに記録された度数を使用して対応するパチンコ機２に対してパチンコ玉の貸出を実施させる発行貸出処理を行うことが可能とされている。
【００５６】
次いで、本実施例における管理装置としての会員管理コンピュータ１２０について説明すると、会員管理コンピュータ１２０は、図５に示すように、コンピュータ内部にてデータの送受を行うデータバス１２１に、この会員管理コンピュータ１２０が実施する各種処理や後述する各種データベース（ＤＢ）の更新処理等を行うＣＰＵ１２２、処理時の一時記憶領域等として使用されるＲＡＭ１２３、磁気ディスクや光磁気ディスクから成る記憶装置１２４、キーボードやマウス等の入力装置１２５、各種情報を表示出力する表示装置１２６、各種情報をプリント出力するプリンタ１２７、カードユニット３並びにルータ５を介して前記メールサーバ１０とのデータ通信を行う通信部１２８、が接続された通常のコンピュータである。
【００５７】
また、記憶装置１２４には、会員管理コンピュータ１２０のＣＰＵ１２２が行う各種処理を実行するための処理プログラムに加えて、前記カードユニット３と保存メールの送信処理を行うための電子メールプログラムと、会員カードを所有する遊技者、すなわち会員遊技者に関する会員情報が登録（記憶）されている会員情報テーブル（図６（ａ）参照）と、各イベントに関する情報が登録（記憶）されているイベントテーブル（図６（ｂ）参照）と、各会員遊技者の遊技履歴が登録されている会員来店履歴テーブル（図７（ｃ）参照）と、各カードユニット３の会員カードの受付け状況や受付け中の会員カードの会員ＩＤ等の情報が更新登録（記憶）されるユニット管理テーブル（図７（ｄ）参照）と、集計テーブル（図示略）と、から構成される会員情報データベース（ＤＢ）と、遊技場内に設置された全てのパチンコ機２における遊技情報が１日単位で登録（記憶）される複数の遊技情報テーブルから構成される遊技情報ＤＢと、が記憶されている。
【００５８】
本実施例の会員情報テーブルには、図６（ａ）に示すように、各会員を個別に識別可能に付与された会員ＩＤに対応付けて、当該会員カードを所有する遊技者の貯蓄玉数と、本人確認のための暗証番号と、来店ポイントと、当該会員カードを所有する遊技者の氏名（名字並びに名前）、性別、年齢、誕生日、職業、住所、該遊技場において電子メールの受信を行うために当該遊技場において発行された電子メールアドレスと、該電子メールアドレス宛ての電子メールを前記メールサーバからダウンロード（受信）するためのメール送受信用情報であるメール用パスワードと、受信した電子メールを、自宅のパソコン等に転送する際の転送先メールアドレスとが登録されている。
【００５９】
尚、本発明におけるメール送受信用情報は、前記したメール用パスワードと、電子メールアドレスを含み、該電子メールアドレスの「＠」マークまでの部分を、ユーザＩＤ（本実施例では会員ＩＤの番号部分と同一）として使用することで、これらメール送受信用のユーザＩＤを個別に記憶しないようにしているが、本発明はこれに限定されるものではなく、これらユーザＩＤが、電子メールアドレスの「＠」マークまでの部分と異なる場合には、該ユーザＩＤを個別に記憶するようにしても良い。
【００６０】
前記イベントテーブルには、図６（ｂ）に示すように、各イベント毎に付与されたイベントＮｏ．毎に、イベント名と、その実施期間（最新の実施期間）と、実施時間と、当該イベントの実施期間中であるか否か、すなわち当該イベントが本日実施されるイベントであるか否かを示す実施期間中フラグ（当該イベントの実施期間中である場合には「Ｙｅｓ」が登録され、当該イベントが有効とされるとともに、当該イベントの実施期間中ではない場合には「Ｎｏ」が登録されて当該イベントが無効とされる）と、対象条件（全員、女性会員、来店回数５０回以上の会員、来店Ｐｔ．５０Ｐｔ．以上等）と、対象となるカードユニット３の範囲（全ユニット、〜番島、対象となるカードユニット３の個別の装置ＩＤ等）と、イベント対象者に対する特典（無制限、粗品進呈、等価交換等）と、からなるイベントデータが登録されている。
【００６１】
前記会員来店履歴テーブルには、図７（ｃ）に示すように、各会員毎の来店履歴として、該会員が遊技をした日付、台番号、開始時刻、終了時刻、遊技時間、特賞回数、売上金額、支出金額、収支金額、勝敗が、カードユニット３からの送信情報並びに前記システムコントローラ１００に記憶されている情報とに基づいて各項目のデータが特定されて、所定期間（本実施例では３ヶ月間）に亘り記憶されるようになっている。
【００６２】
また、本実施例のユニット管理テーブルには、図７（ｄ）に示すように、遊技場内に設置されている各カードユニット３に固有に付与された装置ＩＤに対応付けて、そのカードユニット３が設置されている遊技島の島番号と、会員カードの受付け状況と、対応するパチンコ機２の機種名である対応機種と、受付けている会員カードの会員ＩＤと、後述の貸出処理に使用された度数の累計である総使用度数と、該総使用度数のうちビジターカードから使用された度数であるＶカード使用度数と、当該カードユニット３にてビジターカードに入金された入金総額であるＶカード入金金額と、会員カード３７から使用された度数である会員カード使用度数と、当該カードユニット３にて会員カードに入金された入金総額である会員カード入金金額、並びに該入金のために受付けた現金の各金種毎（１００００円、５０００円、２０００円、１０００円、５００円、１００円）の数量とが登録（記憶）されている。
【００６３】
また、前記記憶装置１２４には、前記会員情報テーブルと同様に、各会員遊技者の会員ＩＤに対応付けて、前記メールサーバ１０から送信されてくる、送信先の電子メールアドレスとともに、受信日時、件名、送信元の電子メールアドレスの情報を含むメール受信通知が記憶されるメール受信通知データベース（ＤＢ）が記憶されており、前記メールサーバ１０からメール受信通知を受信した際に、該メール受信通知に含まれる送信先の電子メールアドレスに対応する会員遊技者の会員カードが、いずれのカードユニット３にも未挿入である場合に、該受信したメール受信通知が、当該会員遊技者の会員ＩＤに対応付けてメール受信通知データベース（ＤＢ）に記憶されるようになっている。
【００６４】
また、本実施例の会員管理コンピュータ１２０の表示装置１２６には、前記会員情報データベースを構成する会員情報テーブルへの新規会員情報の登録や既に登録されている会員情報の変更等を実施するための会員登録／変更画面（図示略）や、イベントテーブルに登録されるイベントに関するイベントデータの登録または変更を実施するためのイベント設定画面に加えて、後述する保存メールに関する設定が可能な図１６に示す保存メール設定画面が表示可能とされている。
【００６５】
この本実施例の保存メール設定画面には、図１６に示すように、１会員について保存可能な電子メールの最大件数（例えば、３０件、５０件、１００件等）と、保存期間（例えば、１週間、１ヶ月、３ヶ月等）が設定、変更できるようになっており、該設定された最大件数を越えるか、或いは保存期間が経過した電子メールは、自動的に消去されるようになっている。尚、本実施例では、最大件数と保存期間の双方を設定変更できるようにしているが、本発明はこれに限定されるものではなく、これら最大件数と保存期間のいずれかのみを設定変更できるようにしても良い。
【００６６】
これら、本実施例の会員管理コンピュータ１２０に対して前記カードユニット３から送信される情報について図８に基づいて説明すると、カードユニット３は、会員カードを受付けた際に、受付けた会員カードから読み出された会員識別情報である会員ＩＤ並びに装置識別情報である装置ＩＤを含む会員カード受付通知を会員管理コンピュータ１２０に対して送信する。また、会員カードが返却された際に、返却された会員カードの会員ＩＤ並びに装置ＩＤを含む会員カード返却通知を会員管理コンピュータ１２０に対して送信する。これら会員カード受付通知と会員カード返却通知に基づいて会員管理コンピュータ１２０は、前記ユニット管理テーブル（図７（ｄ）参照）の「状況」や受付け会員カードＩＤ等の情報を更新や、前記会員来店履歴テーブル（図７（ｃ））の開始時刻や終了時刻等の各データの更新を実施することで、現在においてどの会員遊技者の会員カードが、どのカードユニット３において受付け中であるかを、前記ユニット管理テーブルにて把握できるようになっている。
【００６７】
次いで、本実施例に用いたメールサーバ１０について説明すると、該メールサーバ１０の構成は、図１７に示すように、サーバ内部にてデータの送受を行うデータバス２１に、該配信サーバ１が実施する電子メールの受信や転送処理、並びに図９に示すメール受信通知処理等の各種処理等を実施するＣＰＵ２２、該ＣＰＵ２２が行う処理に使用されるワークメモリ等として使用されるＲＡＭ２３、日時情報を出力する時計装置（ＲＴＣ）２４と、インターネット網を介して、該インターネット網上の各メールサーバとの電子メールデータの送受を行うための第１通信部２６と、当該ＩＳＰの契約者に設置されている前記ルータ５に接続されている前記会員管理コンピュータ１２０やカードユニット３とのデータの送受信を行う第２通信部２７と、前記ＣＰＵ２２が実施する各種処理を実施するための処理プログラムや、図１８に示すように、電子メールの受信を行う利用者の情報が登録された利用者ＤＢや、受信した電子メールデータ等を記憶するための電子メールＤＢ等の各種データが記憶された記憶装置２５と、が接続された比較的高速の演算処理が可能なサーバ用コンピュータとされており、通常においてインターネット接続プロバイダにおいて使用されるメールサーバを好適に使用することができる。
【００６８】
また、前記記憶装置２５には、図１８に示すように、ユーザＩＤ（本実施例では、電子メールアドレスの  マークまでの部分と同一）に対応付けて、電子メールをダウンロード（受信）する際の認証処理に使用されるメール送受信用情報であるメール用パスワードと、遊技場において発行された電子メールアドレスと、該電子メールアドレス宛ての新着メールの到着があった場合に、メール受信通知を送信する送信先となる、前記ルータ５のグローバルＩＰアドレスとが登録された利用者データベース（ＤＢ）と、各電子メールアドレスに対応付けて、該電子メールアドレス向けの電子メールデータが、受信日時や送信元の電子メールアドレスデータに対応付けて記憶されるメールデータベース（ＤＢ）とが記憶されている。
【００６９】
尚、本実施例では、各会員が予め各会員個人で契約しているＩＳＰのメールサーバの電子メールの転送先として、前記メールサーバ１０に登録されている遊技場にて発行された電子メールアドレスを登録して転送設定を実施しておくことで、各会員が各会員個人で契約しているＩＳＰのメールアドレス宛ての電子メールも、遊技場において確認できるようになっている。
【００７０】
また、本実施例のメールサーバ１０では、前記会員管理コンピュータ１２０の会員情報テーブルに登録されている各会員の電子メールアドレス宛ての電子メールが到着した場合に、該電子メールの到着を前記会員管理コンピュータ１２０へ通知するメール受信通知処理を実施する。
【００７１】
このメール受信通知処理について、図９に示すフロー図にて説明すると、Ｓａ１において前記会員管理コンピュータ１２０の会員情報テーブルに登録されている各会員の電子メールアドレス宛ての電子メールが到着を検出すると、Ｓａ２に進んで、新規に到着した電子メールから、送信先の電子メールアドレスとともに、受信日時、件名、送信元の電子メールアドレスの情報を特定する。
【００７２】
次いで、Ｓａ３に進んで、前記Ｓａ２において特定した送信先の電子メールアドレスとともに、受信日時、件名、送信元の電子メールアドレスの情報を含むメール受信通知を、前記ルータ５に固有に付与されているグローバルＩＰアドレスに対して送信することで、該メール受信通知がルータ５の所定のポートから会員管理コンピュータ１２０へ出力（送信）されて、該会員管理コンピュータ１２０にメール受信通知が届くようになっており、これらメール受信通知の機能としては、現状のＩＳＰにおいて、自宅のパソコンへの電子メールの着信を、携帯電話の電子メールアドレスに通知するモバイル通知等の機能を好適に適用することができる。
【００７３】
以下、本実施例の遊技用システムを構成するカードユニット３並びに会員管理コンピュータ１２０、メールサーバ１０における処理状況について図１０〜図１５に基づいて説明する。
【００７４】
まず、前記メールサーバ１０に遊技場の会員遊技者に対して発行されたメールアドレス向けの電子メールの到着があった場合には、図９に示す前記メール受信通知処理が実施されて、送信先の電子メールアドレスとともに、受信日時、件名、送信元の電子メールアドレスの情報を含むメール受信通知が会員管理コンピュータ１２０へ送信される。
【００７５】
該メール受信通知を受信した会員管理コンピュータ１２０は、該メール受信通知に含まれる送信先の電子メールアドレスと前記会員情報テーブルの登録内容とから、該電子メールの正規受信者である会員遊技者の会員ＩＤを特定し、該会員ＩＤの会員カードを受付け中のカードユニット３が存在するかを、前記図７（ｄ）に示すユニット管理テーブルにて検索する。
【００７６】
該検索において、前記にて特定した会員ＩＤがユニット管理テーブルに存在する場合には、該会員ＩＤに対応する装置ＩＤを特定することで、該会員ＩＤの会員カードを受付け中のカードユニット３を特定し、該特定したカードユニット３に対して、前記にて受信したメール受信通知に含まれる受信日時、件名、送信元の電子メールアドレスを含む通知情報に加えて、該会員ＩＤに対応して前記会員情報テーブルに記憶されている該会員のユーザＩＤとなる電子メールアドレスと、メール用パスワードとを含むメール新着通知を送信する。
【００７７】
一方、前記ユニット管理テーブルにおける検索において、前記にて特定した会員ＩＤがユニット管理テーブルに存在しない場合には、該会員ＩＤの会員カードが非受付け状態であると判定して、前記にて受信したメール受信通知を前記メール受信通知データベースに記憶する。
【００７８】
ここで、メール受信通知データベースに記憶されたメール受信通知に対応する会員ＩＤの会員カードがカードユニット３に挿入された場合には、図１１に示すように、会員カードの受付けに伴って、該会員カードの記録情報の読み取りが前記カードリーダライタ３２７にて実施されるとともに、会員カードを利用可能とするための暗証番号の入力受付けが実施され、これら会員カードから読み出された会員ＩＤと装置ＩＤを含む会員カード受付通知とともに、前記にて受付けた暗証番号と会員ＩＤとを含む認証要求が会員管理コンピュータ１２０へ送信される。
【００７９】
これら会員カード受付通知並びに認証要求の受信に基づいて、会員管理コンピュータ１２０は、前記ユニット管理テーブルの「状況」を「受付中」に更新するとともに、受付けた会員カードの会員ＩＤを登録してユニット管理テーブルを更新するとともに、該認証要求に含まれる暗証番号と会員ＩＤとを照合して認証処理を実施し、該認証結果を認証要求の送信元のカードユニット３に返信し、該照合による認証結果が「一致」である場合に、前記メール受信通知データベースに該会員ＩＤに対応するメール受信通知が登録されているかを確認し、登録されている場合には該メール受信通知を読み出して、該読み出したメール受信通知に含まれる受信日時、件名、送信元の電子メールアドレスを含む通知情報に加えて、該会員ＩＤに対応して前記会員情報テーブルに記憶されている該会員のユーザＩＤとなる電子メールアドレスと、メール用パスワードとを含むメール新着通知を、認証要求の送信元のカードユニット３に送信する。
【００８０】
このように本実施例では、図１０に示すように、メールサーバからメール受信通知を会員管理コンピュータ１２０が受信した際に、該メール受信通知に含まれる送信先メールドレスに対応する会員遊技者の会員カードのカードユニット３への挿入／未挿入によって、会員カードが挿入中である場合には、図１０（ｂ）に示すように、該メール受信通知に基づいて該新着メールの正規受信者である会員遊技者が遊技をしているカードユニット３に迅速にメール新着通知が送信される一方、会員カードが未挿入である場合には、図１０（ａ）に示すように、当該会員カードの認証要求が受信されたことを契機として、該認証要求された会員カードの会員ＩＤに対応するメール受信通知の有無が確認され、メール受信通知が存在する場合において、メール新着通知がカードユニット３へ送信されるようになっており、このようにすることで、会員カードの挿入／未挿入に拘わらず、会員遊技者は、自分宛の電子メールの到着を漏らさず確認できるようになっている。
【００８１】
これら会員管理コンピュータ１２０から送信されたメール新着通知から特定される受信メールの件数に基づき、カードユニット３の前記制御ユニット３２８は、該受信したメール新着通知に含まれる各データを一時記憶するとともに、該メール新着通知の受信件数に基づいて前記表示部３１２に図１２に示す報知画面を表示することで、何件の新着メールが届いているかを、会員遊技者に報知するようになっている。
【００８２】
この報知画面の下部には、「一覧表示」の選択入力部と、「一括受信」の選択入力部が表示されており、会員遊技者は、通知された全ての新着メールをメールサーバ１０からダウンロードする場合には、「一括受信」を選択入力し、通知された新着メールの内、一部のみを選択してダウンロードしたい場合には、「一覧表示」の選択入力する。
【００８３】
該「一覧表示」を選択入力した場合には、図１３に示すように、前記メール新着通知に含まれる件名や送信者（元）メールアドレス、受信日時が、各新着メール毎に一覧表示されるとともに、各新着メールの左端には、受信の要否のチェックボックスが設けられていて、会員遊技者は、メールサーバより受信したい新着メールに対応するチェックボックスを選択した後、該新着メール一覧画面の下部に表示されている「選択メールを受信」の選択入力部を選択入力する。
【００８４】
該「選択メールを受信」の選択入力部を選択入力に基づいて、前記制御ユニット３２８は、メールサーバ１０に対して、前記新着メール一覧画面にて受け付けたダウンロードする新着メールに対応する送信者アドレスと受信日時の情報をダウンロードする選択メールの情報とするとともに、該選択メールの情報に、前記会員管理コンピュータ１２０から送信されたメール新着通知に含まれるユーザＩＤ（電子メールアドレスに含む）とメール用パスワードを加えたメール配信要求を送信する。
【００８５】
該メール配信要求の受信に基づいて前記メールサーバは、ユーザＩＤとメール用パスワードによる認証処理を実施し、該認証が登録されているユーザＩＤとメール用パスワードに一致した場合に、該受信したメール配信要求に含まれる選択メールの情報に合致する新着メールを、該ユーザＩＤ向けの電子メールから特定し、該特定した電子メールをメール配信要求の送信元のカードユニット３に送信（返信）する。尚、図１２に示す報知画面において、「一括受信」が選択された場合には、選択メールの情報を含まない（或いは全てのメールが選択された旨の情報を含む）メール配信要求が送信され、メールサーバ１０は、これに応じて、該ユーザＩＤ向けの全ての電子メールをカードユニット３に送信（返信）する。
【００８６】
該電子メールを受信したカードユニット３の制御ユニット３２８は、該受信した電子メールのデータを一時記憶するとともに、受信した電子メールの一覧を図１４に示すように、前記表示部３１２に表示する。
【００８７】
この表示部３１２に表示された受信した電子メールの一覧から、会員遊技者は、閲覧したい電子メールに対応する「内容表示」の項目を選択することで、該選択された電子メールの内容が表示部３１２に表示される。
【００８８】
また、本実施例においては、図１４に示すように、受信した各電子メール毎に、「保存」と「転送」の各チェックボックスが設けられていて、会員遊技者は、電子メールの内容表示にて電子メールの内容を確認した後、図１４の電子メールの一覧表示において、その電子メールの「保存」や「転送」を選択入力できるようになっている。
【００８９】
ここで、「保存」を選択した後、画面下部の「決定」を選択入力することで、該選択された電子メールのデータとともに、当該会員遊技者の会員ＩＤを含む保存要求が前記会員管理コンピュータ１２０に送信されることで、該会員管理コンピュータ１２０の前記保存メールＤＢに、該保存要求に含まれる電子メールが前記会員ＩＤに対応付けて記憶されることで、前記保存メール設定画面にて設定された期間に亘り、該電子メールが保存されるようになっている。尚、これら新たに電子メールが保存される場合において、保存メール数が保存メール設定画面にて設定された最大件数を越える場合には、最も古い電子メールが自動的に消去されるようになっている。
【００９０】
これら保存メールＤＢに保存されている保存メールを再度閲覧する場合には、前記図１４に示した受信メール一覧の画面下部に設けられている「保存メール表示」を選択することにより、前記制御ユニット３２８は、図１１に示すように、会員管理コンピュータ１２０に対して、会員ＩＤを含む再閲覧要求を送信することで、会員管理コンピュータ１２０は、受信した再閲覧要求に含まれる会員ＩＤに対応して前記保存メールＤＢに記憶されている保存メールを返信することで、制御ユニット３２８は、図１５に示すように、前記表示部３１２に保存メールの一覧が表示されるようになっている。
【００９１】
この保存メールの一覧には、図１５に示すように、各保存メールの表示右端部に、その保存メールの保存期限までの日数が表示されるようになっていて、会員遊技者が、各保存メールの保存期限を確認できるようになっているとともに、前記受信メール一覧の場合と同様に、「転送」のチェックボックスが設けられていて、これら保存した保存メールを、予め会員情報テーブルに登録してある転送先メールアドレスに、転送することができるようになっている。
【００９２】
これら保存メール並びに前記受信メール一覧に表示される新着メールを転送したい場合には、該転送したい保存メール並びに新着メールに対応する「転送」のチェックボックスをチェックした後、画面下部に表示されている決定の選択入力部を選択入力することで、前記制御ユニット３２８は、前記会員管理コンピュータ１２０に対し、当該会員遊技者の会員ＩＤを含む転送先アドレス要求を送信する。
【００９３】
該転送先アドレス要求の受信に基づき、会員管理コンピュータ１２０においては、当該会員遊技者の会員ＩＤに対応して前記会員情報テーブルに会員ＩＤに対応して登録されている転送先アドレスが特定されて、該転送先アドレス要求の送信元であるカードユニット３に返信されることで、この会員管理コンピュータ１２０から返信されてきた転送先アドレスと、転送するメールの情報とを含む転送要求を、前記制御ユニット３２８が前記メールサーバ１０に送信することで、メールサーバ１０において、該転送要求に含まれる転送先アドレスに対して、転送要求に含まれる転送メールの情報に基づいて特定される電子メールが転送されるようになっている。
【００９４】
以上説明したように、本実施例の遊技用システムによれば、新着メールが前記メールサーバ１０に到着した際に、該新着メールの到着が前記メール受信通知によって会員管理装置である会員管理コンピュータ１２０に通知され、該会員管理コンピュータ１２０が前記メールサーバ１０に到着した新着メールの宛先のメールアドレスを所有する会員遊技者の会員カードを受付け中のカードユニット３に対してメールサーバ１０から前記新着メールの配信を受けるためのメール送受信用情報であるユーザＩＤを含む電子メールアドレスとメール用パスワードとを含むメール新着通知が送信されることで、該カードユニット３にて、これら会員管理コンピュータ１２０から送信されたメール新着通知に含まれるメール送受信用情報を用いて、前記メールサーバから前記新着メールがカードユニット３にダウンロードされるようになるため、会員遊技者は、自分のメールアドレスやパスワードを新着メールの受信の都度毎に入力することなく、これら新着メールを受信できるばかりか、ほぼリアルタイムに自分宛の電子メールを受信することもできるようになる。
【００９５】
前記実施例における各要素は、本発明に対して以下のように対応している。
本発明の請求項１は、会員遊技者を個々に特定可能な会員識別情報（会員ＩＤ）に対応付けて、各会員遊技者の電子メールアドレスを特定可能なメールアドレス特定情報（会員ＩＤ、電子メールアドレス）を記憶する会員情報記憶手段（記憶装置１２４；会員情報テーブル）を有する会員管理装置（会員管理コンピュータ１２０）と、遊技機（パチンコ機２）に対応して設けられ、前記会員識別情報（会員ＩＤ）が記録された会員用記録媒体（会員カード）を受付けて、該会員用記録媒体（会員カード）に記録されている会員識別情報（会員ＩＤ）の読み取りを行う読取手段（カードリーダライタ３２７）と、該読取手段（カードリーダライタ３２７）によって読み取った前記会員識別情報（会員ＩＤ）を、当該遊技用装置（カードユニット３）に個別に付与された装置識別情報（装置ＩＤ）とともに前記会員管理装置（会員管理コンピュータ１２０）に送信する識別情報送信手段（通信部３３４）と、を少なくとも備える遊技用装置（カードユニット３）と、会員遊技者の電子メールアドレスを記憶するメールアドレス記憶手段（記憶装置２５；利用者データベース）と、該メールアドレス記憶手段（記憶装置２５；利用者データベース）に記憶されている各会員遊技者の前記電子メールアドレス宛ての電子メールを受信した場合に、該受信した電子メールを配信可能に記憶する電子メール記憶手段（記憶装置２５；メールデータベース）と、メール配信要求に応じて該電子メール記憶手段に記憶した電子メールを配信要求元に配信する電子メール配信手段（第２通信部２７）と、を備えるメールサーバ（１０）と、から成る遊技用システムであって、前記メールサーバ（１０）は、前記受信した電子メールの宛先である電子メールアドレスを特定可能な情報を含むメール受信通知を前記会員管理装置（会員管理コンピュータ１２０）送信するメール受信通知手段（第２通信部２７）を備え、前記会員管理装置（会員管理コンピュータ１２０）は、各会員遊技者が前記メールサーバ（１０）と電子メールの送受信を行うためのメール送受信用情報（ユーザＩＤ、メール用パスワード）を前記会員識別情報（会員ＩＤ）に対応付けて前記会員情報記憶手段（記憶装置１２４；会員情報テーブル）に記憶するとともに、前記識別情報送信手段（通信部３３４）から送信される前記会員識別情報（会員ＩＤ）と装置識別情報（装置ＩＤ）とを対応付けて記憶する受付け状況記憶手段（記憶装置１２４；ユニット管理テーブル）と、前記メール受信通知手段（第２通信部２７）からメール受信通知を受信したときに、該受信したメール受信通知に含まれる情報から特定される電子メールアドレスに対応する会員識別情報（会員ＩＤ）を前記会員情報記憶手段（記憶装置１２４；会員情報テーブル）の記憶内容より特定するとともに、該特定した会員識別情報（会員ＩＤ）が記録された会員用記録媒体（会員カード）を受付けている前記遊技用装置（カードユニット３）の装置識別情報（装置ＩＤ）を前記受付け状況記憶手段（記憶装置１２４；ユニット管理テーブル）の記憶内容より特定する識別情報特定手段（ＣＰＵ１２２）と、該識別情報特定手段（ＣＰＵ１２２）にて特定した装置識別情報（装置ＩＤ）の前記遊技用装置（カードユニット３）に対して、前記特定した会員識別情報（会員ＩＤ）に対応するメール送受信用情報（ユーザＩＤ、メール用パスワード）を含むメール新着通知を送信するメール新着通知送信手段（通信部１２８）と、を備え、前記遊技用装置（カードユニット３）は、前記メール新着通知を受信したことを条件として、該受信したメール新着通知に含まれるメール送受信用情報を含むメール配信要求を前記メールサーバ（１０）に送信するメール配信要求送信手段（通信部３３４）と、該メール配信要求に応じて前記電子メール配信手段（第２通信部２７）から配信されてきた電子メールの内容を表示する表示手段（液晶表示器３１３）と、を備える。
【００９６】
本発明の請求項２は、前記会員管理装置（会員管理コンピュータ１２０）は、前記識別情報特定手段（ＣＰＵ１２２）により前記メール受信通知に含まれる情報から特定される電子メールアドレスに対応する会員識別情報（会員ＩＤ）が記録された会員用記録媒体（会員カード）を受付け中の前記遊技用装置（カードユニット３）の装置識別情報（装置ＩＤ）が特定されないときに、該メール受信通知を該特定した会員識別情報（会員ＩＤ）に対応付けて記憶するメール受信通知記憶手段（記憶装置１２４；メール受信通知データベース）を備え、前記識別情報送信手段（通信部３３４）から送信される前記会員識別情報（会員ＩＤ）と装置識別情報（装置ＩＤ）との受信に基づいて、該受信した会員識別情報（会員ＩＤ）に対応するメール受信通知が前記メール受信通知記憶手段（記憶装置１２４；メール受信通知データベース）に記憶されているかを確認し、メール受信通知が記憶されているときには、前記会員識別情報（会員ＩＤ）とともに受信した装置識別情報（装置ＩＤ）の遊技用装置（カードユニット３）に対して、前記メール新着通知送信手段（通信部１２８）により前記メール新着通知を送信する。
【００９７】
本発明の請求項３は、前記遊技用装置（カードユニット３）は、前記メール新着通知の受信に基づいて、新着メールが存在することを報知するメール新着報知手段（液晶表示器３１３）と、前記メール配信要求送信手段（通信部３３４）によるメール配信要求の送信指示を受け付けるための送信指示受付け手段（タッチパネル３１４）と、を備える。
【００９８】
本発明の請求項４は、  前記メール受信通知およびメール新着通知には、通知対象の電子メールを個々に識別可能な情報（送信元メールアドレス、受信時刻情報）が含まれ、前記遊技用装置（カードユニット３）は、受信した前記メール新着通知に基づいて新着メールの一覧を前記表示手段（液晶表示器３１３）に表示し、該一覧表示された新着メールのうち、前記メールサーバ（１０）から配信を受ける新着メールの選択を受付ける選択受付け手段（タッチパネル３１４）を備え、前記メール配信要求送信手段（通信部３３４）は、該選択受付け手段選択受付け手段（タッチパネル３１４）により選択を受付けたメールの配信要求を前記メールサーバ（１０）に送信する。
【００９９】
本発明の請求項５は、前記遊技用装置（カードユニット３）は、前記メールサーバ（１０）から配信を受けた電子メールの保存指示を入力するための保存入力手段（タッチパネル３１４）と、保存する電子メールを含むメール保存要求を前記会員管理装置（会員管理コンピュータ１２０）に送信するメール保存要求送信手段（通信部３３４）と、保存した電子メールの再閲覧要求を前記会員管理装置（会員管理コンピュータ１２０）に送信する再閲覧要求送信手段（通信部３３４）と、を備え、前記会員管理装置（会員管理コンピュータ１２０）は、前記メール保存要求に含まれる電子メールを会員ＩＤに対応付けて記憶する保存メール記憶手段（記憶装置１２４；保存メールデータベース）と、前記再閲覧要求に応じて保存メールを該再閲覧要求の送信元の前記遊技用装置（カードユニット３）に送信する保存メール送信手段（通信部１２８）と、を備え、前記表示手段（液晶表示器３１３）は、該保存メール送信手段（通信部１２８）から受信した保存メールの内容を表示する。
【０１００】
本発明の請求項６は、前記保存メール送信手段（通信部１２８）における保存メールの保存期間および／または保存件数を設定変更する保存限度設定手段（入力装置１２５、保存メール設定画面）を備える。
【０１０１】
本発明の請求項７は、前記遊技用装置（カードユニット３）は、受信した電子メールを所定のメールアドレス宛てに転送するための転送要求を前記メールサーバ（１０）に送信する転送要求手段（通信部３３４）を備え、前記メールサーバ（１０）は、前記転送要求の受信に基づいて、前記電子メールを前記所定のメールアドレス宛てに転送する電子メール転送手段（ＣＰＵ２２、第１通信部２６）を備える。
【０１０２】
本発明の請求項８は、前記会員管理装置（会員管理コンピュータ１２０）または前記メールサーバ１０は、前記会員識別情報（会員ＩＤ）に対応付けて電子メールの転送先となる前記所定のメールアドレスを記憶する転送先アドレス記憶手段（記憶装置１２４；会員情報テーブル）を備え、前記メールサーバ（１０）は、前記転送先アドレス記憶手段（記憶装置１２４；会員情報テーブル）に記憶されている所定のメールアドレスに電子メールを転送する。
【０１０３】
以上、本発明の実施形態を図面により前記実施例にて説明してきたが、本発明はこれら実施例に限定されるものではなく、本発明の主旨を逸脱しない範囲における変更や追加があっても本発明に含まれることは言うまでもない。
【０１０４】
例えば、前記実施例の遊技用システムでは、会員管理コンピュータ１２０が、メール受信通知を受信した際に、該メール受信通知に含まれる送信先メールアドレスに対応する会員遊技者の会員カードが、カードユニット３に受付け中でない場合に、該メール受信通知をメール受信通知記憶手段であるメール受信通知データベースに記憶し、該送信先メールアドレスに対応する会員遊技者の会員カードをカードユニット３にて受付けた場合に、該会員遊技者に該当するメール受信通知をメール受信通知データベースから読み出して、該会員遊技者の会員カードを受け付けたカードユニット３に前記メール新着通知を送信するようにしており、このようにすることは、会員遊技者は、自己の会員カードをカードユニット３に未総入である非遊技状態においてメールサーバ１０に到着した自分宛の新着メールの到着を、漏れなく認識できるようになることから好ましいが、本発明はこれに限定されるものではなく、これら自己の会員カードをカードユニット３に未総入である非遊技状態においてメールサーバ１０に到着した自分宛の新着メールの到着を、会員カードの挿入時に報知しない構成としても良い。
【０１０５】
また、前記実施例では、カードユニット３において、受信したメール新着通知に基づいて新着メールの一覧を前記表示部３１２に表示し、該一覧表示された新着メールのうち、前記メールサーバ１０からダウンロードする新着メールの選択を受付けるようにしており、このようにすることは、受信を希望する新着メールのみを、希望するときのみにてダウンロードできるようになることから好ましいが、本発明はこれに限定されるものではなく、これらダウンロードする新着メールの選択の受付けを実施しない構成としても良い。また、配信要求の送信自体を、会員遊技者からの指示に依らず、会員管理コンピュータ１２０からのメール新着通知の受信に基づいて、自動的に行うようにしても良い。
【０１０６】
また、前記実施例では、カードユニット３において新着メールから保存する保存メールを選択的に受付け、該選択された保存メールを前記会員管理コンピュータ１２０に送信して前記保存メールデータベースに記憶し、カードユニット３からの再閲覧要求の送信に基づいて前記保存メールデータベースに記憶されている保存メールをカードユニット３に送信することで、該カードユニット３において保存メールを再度閲覧できるようにしており、このようにすることは、会員遊技者は、保存しておきたい新着メールを前記会員管理コンピュータに保存しておくことができるとともに、該保存した新着メールを再度閲覧することもできることから好ましいが、本発明はこれに限定されるものではなく、これら保存メールの記憶、並びに再閲覧を不可とした構成としても良い。
【０１０７】
また、前記実施例では、前記保存メール設定画面において、保存メール記憶手段である保存メールデータベースにおける保存メールの保存期間および保存件数を設定変更できるようにしており、このようにすることは、前記会員管理コンピュータ１２０における記憶装置１２４の記憶容量を考慮して、遊技場がメールの保存期間や保存件数を適宜に設定変更できることから好ましいが、本発明はこれに限定されるものではなく、これら保存メールの保存期間および保存件数を設定変更不可とした構成としても良い。
【０１０８】
また、前記実施例では、転送のチェックボックスをチェックすることで、受信した新着メール並びに保存メールを、予め登録した転送先アドレスに転送できるようにしており、このようにすることは、会員遊技者は、前記遊技用装置に受信した新着メールや保存メールを、自宅等の転送先にて再度確認することができることから好ましいが、本発明はこれに限定されるものではなく、これら転送機能を有しない構成としても良い。
【０１０９】
また、前記実施例では、会員管理コンピュータが会員情報テーブルに各会員遊技者の転送先メールアドレスを記憶しておき、転送の受付け時において、該会員遊技者の転送先メールアドレスがカードユニット３に送信され、メールサーバ１０に送信される転送先アドレスとして使用されるようになるため、会員遊技者は、転送する都度毎に転送先のメールアドレスを入力する必要がなく、遊技者の利便性を向上できるばかりか、入力間違いにより転送が不能となる不都合も回避できることから好ましいが、本発明はこれに限定されるものではなく、これら転送先アドレスを、その都度入力する構成としても良い。また、転送先のメールアドレスを会員管理コンピュータ１２０ではなく、メールサーバ１０に記憶し、カードユニット３から転送要求を受信したメールサーバ１０が、当該記憶している転送先メールアドレスに転送メールを転送するようにしても良い。
【０１１０】
また、前記実施例では、遊技用装置として玉貸機能と貯蓄玉数の払戻機能を備えるカードユニット３を適用しているが、本発明はこれに限定されるものではなく、少なくともカードリーダ等、会員カードの記録情報の読み出し手段と、遊技者に関連した情報を会員管理コンピュータ１２０より入手して表示する表示手段と、を備える遊技用装置であれば良い。
【０１１１】
また、前記実施例では、カードユニット３の表示部３１２に遊技情報や遊技履歴、インターネットを介して入手したコンテンツが表示される例について説明しているが、本発明はこれに限定されるものではなく、例えば、これらに加えて、表示部３１２においててテレビ放送を閲覧可能としたり、遊技場にて放映するＶＴＲ（ビデオ放送）を閲覧可能としても良い。
【０１１２】
また、前記実施例では、特に例示していないが、カードユニット３が会員カードを受付けていることを条件に、表示部３１２において遊技情報やその他の情報を閲覧できるようにしても良いし、会員カードが受付けられているか否かに関わらず、表示部３１２において遊技情報やその他の情報（遊技履歴は含まず）を閲覧できるようにしたり、会員カードが受付けられているか否かに応じて、表示部３１２において閲覧できる内容を差別化するようにしても良い。
【０１１３】
また、前記実施例では、記録媒体（会員カード）として非接触型のＩＣカードを用いているが、本発明はこれに限定されるものではなく、これを磁気カードや接触型のＩＣカードとしても良いし、更には識別符号を用いて記録情報を特定できる場合等には、記録媒体を特定可能な識別符号等の情報を少なくとも読み取り可能に記録できるものであれば良く、例えばバーコード等の所定の情報記録シンボル等が読み取り可能にプリントされた記録媒体等であっても良い。
【０１１４】
また前記実施例においては、遊技機の一例としてパチンコ玉を用いて遊技を行う通常のパチンコ機を適用しているが、本発明はこれに限定されるものではなく、その他の遊技機、例えばメダルやパチンコ玉を用いて遊技を行うスロットマシンやパチンコ玉が内部で循環する循環式パチンコ機や、メダルやパチンコ玉を用いることなくクレジットを用いて遊技を行う完全クレジット式のスロットマシン等の遊技機を適用しても良い。更には、これらの遊技機を併用して適用しても良い。
【０１１５】
尚、前記実施例では、メールサーバ１０をＩＳＰに設置した形態を例示しているが、本発明はこれに限定されるものではなく、これらメールサーバ１０を遊技場内に設置したり、前記カード管理会社に設置した形態としても良い。
【発明の効果】
本発明は次の効果を奏する。
（ａ）請求項１の発明によれば、新着メールが前記メールサーバに到着した際に、該新着メールの到着が前記メール受信通知によって会員管理装置に通知され、該会員管理装置が前記メールサーバに到着した新着メールの宛先のメールアドレスを所有する会員遊技者の会員用記録媒体を受付け中の遊技用装置に対してメールサーバから前記新着メールの配信を受けるためのメール送受信用情報を含むメール新着通知が送信されることで、該遊技用装置にて、これらメール送受信用情報を用いて前記新着メールが前記メールサーバから遊技用装置に送信されるようになるため、会員遊技者は、メール受信の都度毎にメールアドレスやパスワードを入力することなく、これら新着メールを受信できるばかりか、ほぼリアルタイムに自分宛の電子メールを受信することもできる。
【０１１６】
（ｂ）請求項２の発明によれば、会員遊技者は、自分の会員用記録媒体が前記遊技用装置に非受付け状態である非遊技状態における自分宛の新着メールも、自分の会員用記録媒体を前記遊技用装置に受付け状態とすることで、これら非遊技状態における自分宛の新着メールの到着を、漏れなく認識できる。
【０１１７】
（ｃ）請求項３の発明によれば、会員遊技者は、自分宛の新着メールが到着していることを認識できるとともに、希望するときのみ該新着メールの受信を行うことができる。
【０１１８】
（ｄ）請求項４の発明によれば、会員遊技者は、受信を希望する新着メールのみを受信することができる。
【０１１９】
（ｅ）請求項５の発明によれば、会員遊技者は、保存しておきたい新着メールを前記会員管理装置に保存しておくことができるとともに、該保存した新着メールを再度閲覧することもできる。
【０１２０】
（ｆ）請求項６の発明によれば、前記会員管理装置の記憶容量を考慮して、遊技場がメールの保存期間や保存件数を適宜に設定変更できる。
【０１２１】
（ｇ）請求項７の発明によれば、会員遊技者は、前記遊技用装置に受信した新着メールを、自宅等の転送先にて再度確認することができる。
【０１２２】
（ｈ）請求項８の発明によれば、転送する都度毎に転送先のメールアドレスを入力する必要がなく、遊技者の利便性を向上できるばかりか、入力間違いにより転送が不能となる不都合も回避できる。
【図面の簡単な説明】
【図１】本発明の実施例における遊技用システムの構成を示す図である。
【図２】本発明の実施例において用いたパチンコ機並びにカードユニットの正面図である。
【図３】本発明の実施例におけるカードユニットに設けられた突出部の正面図である。
【図４】本発明の実施例におけるカードユニットの構成を示すブロック図である。
【図５】本発明の実施例における会員管理コンピュータの構成を示すブロック図である。
【図６】（ａ）は、本発明の実施例に用いた会員管理コンピュータの会員情報テーブル、（ｂ）は、イベントテーブルの構成を示す図である。
【図７】（ｃ）、本発明の実施例に用いた会員管理コンピュータの会員来店履歴テーブル、（ｂ）は、ユニット管理テーブルの構成を示す図である。
【図８】本発明の実施例に用いたカードユニットと会員管理コンピュータとの間において送受される情報を示す図である。
【図９】本発明の実施例に用いた会員管理コンピュータにて実施されるメール送受信処理を示すフロー図である。
【図１０】（ａ）は、本実施例の遊技用システムにおける、新着メールの受信者である会員遊技者の会員カードが未挿入である場合の会員管理コンピュータ、メールサーバ、カードユニットの間における情報の流れを示す図であり、（ｂ）は、本実施例の遊技用システムにおける、新着メールの受信者である会員遊技者の会員カードが挿入中である場合の会員管理コンピュータ、メールサーバ、カードユニットの間における情報の流れを示す図である。
【図１１】本発明の実施例に用いた遊技用システムを構成する各機器の新着メールの到着における処理状況を示す図である。
【図１２】本発明の実施例に用いたカードユニットに設けられた液晶表示器の表示内容を示す図である。
【図１３】本発明の実施例に用いたカードユニットに設けられた液晶表示器の表示内容を示す図である。
【図１４】本発明の実施例に用いたカードユニットに設けられた液晶表示器の表示内容を示す図である。
【図１５】本発明の実施例に用いたカードユニットに設けられた液晶表示器の表示内容を示す図である。
【図１６】本発明の実施例に用いた会員管理コンピュータの表示装置に表示される保存メール設定画面を示す図である。
【図１７】本発明の実施例に用いたメールサーバの構成を示すブロック図である。
【図１８】本発明の実施例に用いたメールサーバの記憶装置２５に記憶された利用者データベースの構成を示す図である。
【符号の説明】
２        カードリーダ式パチンコ機
３        カードユニット
４        中継端末
５        ルータ
６        供給玉検出スイッチ
７        アウト玉検出スイッチ
８        通信ケーブル
８’      ＨＵＢ
９        信号ケーブル
１０      メールサーバ
１１      通信回線網
２１      データバス
２２      ＣＰＵ
２３      ＲＡＭ
２４      時計装置
２５      記憶装置
２６      第１通信部
２７      第２通信部
１００    システムコントローラ
１１０    ホールコンピュータ
１２０    会員管理コンピュータ
１２１    データバス
１２２    ＣＰＵ
１２３    ＲＡＭ
１２４    記憶装置
１２５    入力装置
１２６    表示装置
１２７    プリンタ
１２８    通信部
３０１    多機能表示部
３０１ａ  多機能ＬＥＤ
３０２    紙幣挿入口
３０３    硬貨投入口
３０４    硬貨返却ボタン
３０５    突出部
３０６    方向指示表示部
３０６ａ  方向指示ＬＥＤ
３０７    挿入中表示部
３０７ａ  挿入中ＬＥＤ
３０８    硬貨返却口
３０９    会員カード挿入口
３１０    ビジターカード装着口
３１１    透明カバー部材
３１２    表示部
３１３    液晶表示器
３１４    タッチパネル
３１５    ４方向スクロールボタン
３１５ａ  スクロールスイッチ
３１６    メニューボタン
３１６ａ  メニュースイッチ
３１７    インターネットボタン
３１７ａ  インターネットスイッチ
３１８    データボタン
３１８ａ  データスイッチ
３１９    再プレイボタン
３１９ａ  再プレイスイッチ
３２０    再プレイ表示部
３２０ａ  再プレイＬＥＤ
３２１    紙幣識別ユニット
３２２    硬貨識別ユニット
３２７    カードリーダライタ
３２８    制御ユニット
３２９    表示コントローラ
【図１】
2004194990.tif 000003
【図２】
2004194990.tif 000004
【図３】
2004194990.tif 000005
【図４】
2004194990.tif 000006
【図５】
2004194990.tif 000007
【図６】
2004194990.tif 000008
【図７】
2004194990.tif 000009
【図８】
2004194990.tif 000010
【図９】
2004194990.tif 000011
【図１０】
2004194990.tif 000012
【図１１】
2004194990.tif 000013
【図１２】
2004194990.tif 000014
【図１３】
2004194990.tif 000015
【図１４】
2004194990.tif 000016
【図１５】
2004194990.tif 000017
【図１６】
2004194990.tif 000018
【図１７】
2004194990.tif 000019
【図１８】
2004194990.tif 000020